(57)【要約】      （修正有）【課題】がん治療計画の立案を支援する可視化方法を提供する。【解決手段】がん治療方法，ｐＴＭＮ分類値およびｃＴＭＮ分類値を含む治療実績情報は、表示装置１４のＨＤＤ１４ｈｄに設けられたデータベースＤＢ１〜ＤＢ４に登録される。これを踏まえて、表示端末１４のＣＰＵ１４ｐｒは、ｃＴＭＮ分類値を含むがん患者情報の入力をＬＣＤ１４ｄｐに表示されたがん治療検索画面上で受け付け、入力されたがん患者情報に対応する治療実績情報をデータベースＤＢ１〜ＤＢ４から抽出する。ＣＰＵ１４ｐｒはさらに、抽出された治療実績情報のうち少なくともがん治療方法およびｐＴＭＮ分類値をＬＣＤ１４ｄｐに表示する。【選択図】図３
2018173698.tif 000002
【特許請求の範囲】
【請求項１】
ｃＴＭＮ分類値を含むがん患者情報の入力を受け付ける受け付け手段、
がん治療方法およびｐＴＭＮ分類値と前記ｃＴＭＮ分類値とを含む治療実績情報が登録されたデータベースから前記受け付け手段の処理によって入力されたがん患者情報に対応する治療実績情報を抽出する抽出手段、および
前記抽出手段によって抽出された治療実績情報のうち少なくとも前記がん治療方法および前記ｐＴＭＮ分類値を表示する表示手段を備える、治療実績可視化装置。
【請求項２】
前記がん患者情報および前記治療実績情報の各々はがん治療部位をさらに含む、請求項１記載の治療実績可視化装置。
【請求項３】
前記表示手段は、前記ｐＴＮＭ分類値を含む概要情報を表示する概要情報表示手段、および前記概要情報表示手段の処理の後の詳細表示操作に応答して前記がん治療方法を含む詳細情報を表示する詳細情報表示手段を含む、請求項１または２記載の治療実績可視化装置。
【請求項４】
前記概要情報は前記ｃＴＭＮ分類値をさらに含む、請求項３記載の治療実績可視化装置。
【請求項５】
前記概要情報は病理診断日をさらに含み、前記詳細情報はがん治療の実施日をさらに含む、請求項３または４記載の治療実績可視化装置。
【請求項６】
治療実績可視化装置によって実行される治療実績可視化方法であって、
ｃＴＭＮ分類値を含むがん患者情報の入力を受け付ける受け付けステップ、
がん治療方法およびｐＴＭＮ分類値と前記ｃＴＭＮ分類値とを含む治療実績情報が登録されたデータベースから前記受け付けステップの処理によって入力されたがん患者情報に対応する治療実績情報を抽出する抽出ステップ、および
前記抽出ステップによって抽出された治療実績情報のうち少なくとも前記がん治療方法および前記ｐＴＭＮ分類値を表示する表示ステップを備える、治療実績可視化方法。
【請求項７】
治療実績可視化装置のプロセッサに、
ｃＴＭＮ分類値を含むがん患者情報の入力を受け付ける受け付けステップ、
がん治療方法およびｐＴＭＮ分類値と前記ｃＴＭＮ分類値とを含む治療実績情報が登録されたデータベースから前記受け付けステップの処理によって入力されたがん患者情報に対応する治療実績情報を抽出する抽出ステップ、および
前記抽出ステップによって抽出された治療実績情報のうち少なくとも前記がん治療方法および前記ｐＴＭＮ分類値を表示する表示ステップを実行させるための、治療実績可視化プログラム。
【発明の詳細な説明】
【技術分野】
【０００１】
この発明は、治療実績可視化装置、治療実績可視化方法、および治療実績可視化プログラムに関し、特に、対象患者のがん治療部位およびＴＭＮ分類に適合する治療実績を可視化する、治療実績可視化装置、治療実績可視化方法、および治療実績可視化プログラムに関する。
【背景技術】
【０００２】
この種の装置の一例が、特許文献１に開示されている。この文献によれば、患者を特定する情報は情報端末から受信され、患者に関する疾病名および診断結果は、電子カルテシステムおよびＲＩＳ／ＰＡＣＳから取得される。システムサーバは、取得された疾病名および診断結果に基づいて選択可能な複数の治療パスを特定し、特定した複数の医療パスの一覧を情報端末に送信する。
【０００３】
ここで、患者を特定する情報としては、患者のカルテ情報，病歴情報，検体検査情報，生理診断情報，病理診断情報などが想定される。また、患者に関する診断結果は、癌の病期「ステージ」分類，悪性度，進展度，癌の国際臨床病気分類を表すＴＮＭ分類に基づいて得られる。さらに、治療パスとしては、手術，放射線治療，化学治療（抗ガン剤），これらの組み合わせが想定される。
【０００４】
これによって、治療指針の決定やインフォームドコンセントに有益な情報を医師，医療チームおよび患者に提供することができる。
【先行技術文献】
【特許文献】
【０００５】
【特許文献１】特開２００６−７２５３３号公報
【発明の概要】
【発明が解決しようとする課題】
【０００６】
患者のがんを治療するための治療計画を立案する際には、通常、電子カルテ等に記録された他の患者の治療実績が参照される。このとき、対象患者のがん治療部位およびＴＭＮ分類に適合する治療実績を一覧で表示するようにすれば、主治医は、対象患者に相応しい治療計画を効率的に立案することができる。
【０００７】
しかし、そのためには、一覧表示すべき治療実績を他の医療従事者が手作業で抽出する必要があり、抽出作業の負担が増大する。このような負担を如何にして軽減するかについて、特許文献１は何ら開示しておらず、特許文献１の技術では、がん治療計画の立案を支援する性能に限界がある。
【０００８】
それゆえに、この発明の主たる目的は、がん治療計画の立案を支援する性能を高めることができる、治療実績可視化装置、治療実績可視化支援方法、および治療実績可視化プログラムを提供することである。
【課題を解決するための手段】
【０００９】
この発明に係る治療実績可視化装置(12：実施例で相当する参照符号。以下同じ)は、ｃＴＭＮ分類値を含むがん患者情報の入力を受け付ける受け付け手段(S21~S29)、がん治療方法およびｐＴＭＮ分類値とｃＴＭＮ分類値とを含む治療実績情報が登録されたデータベース(DB1~DB4)から受け付け手段の処理によって入力されたがん患者情報に対応する治療実績情報を抽出する抽出手段(S35~S43, S47~S71, S75, S79~S85)、および抽出手段によって抽出された治療実績情報のうち少なくともがん治療方法およびｐＴＭＮ分類値を表示する表示手段(S45, S73, S77)を備える。
【００１０】
好ましくは、がん患者情報および治療実績情報の各々はがん治療部位をさらに含む。
【００１１】
好ましくは、表示手段は、ｐＴＮＭ分類値を含む概要情報を表示する概要情報表示手段(S45)、および概要情報表示手段の処理の後の詳細表示操作に応答してがん治療方法を含む詳細情報を表示する詳細情報表示手段(S73, S77)を含む。
【００１２】
或る局面では、概要情報はｃＴＭＮ分類値をさらに含む。
【００１３】
他の局面では、概要情報は病理診断日をさらに含み、詳細情報はがん治療の実施日をさらに含む。
【００１４】
この発明に係る治療実績可視化方法は、治療実績可視化装置(14)によって実行される治療実績可視化方法であって、ｃＴＭＮ分類値を含むがん患者情報の入力を受け付ける受け付けステップ(S21~S29)、がん治療方法およびｐＴＭＮ分類値とｃＴＭＮ分類値とを含む治療実績情報が登録されたデータベース(DB1~DB4)から受け付けステップの処理によって入力されたがん患者情報に対応する治療実績情報を抽出する抽出ステップ(S35~S43, S47~S71, S75, S79~S85)、および抽出ステップによって抽出された治療実績情報のうち少なくともがん治療方法およびｐＴＭＮ分類値を表示する表示ステップ(S45, S73, S77)を備える。
【００１５】
この発明に係る治療実績可視化プログラムは、治療実績可視化装置(14)のプロセッサ(14pr)に、ｃＴＭＮ分類値を含むがん患者情報の入力を受け付ける受け付けステップ(S21~S29)、がん治療方法およびｐＴＭＮ分類値とｃＴＭＮ分類値とを含む治療実績情報が登録されたデータベース(DB1~DB4)から受け付けステップの処理によって入力されたがん患者情報に対応する治療実績情報を抽出する抽出ステップ(S35~S43, S47~S71, S75, S79~S85)、および抽出ステップによって抽出された治療実績情報のうち少なくともがん治療方法およびｐＴＭＮ分類値を表示する表示ステップ(S45, S73, S77)を実行させるための、治療実績可視化プログラムである。
【発明の効果】
【００１６】
データベースに登録された治療実績情報には、がん治療方法，ｐＴＭＮ分類値およびｃＴＭＮ分類値が含まれる。ｃＴＭＮ分類値を含む患者情報が入力されると、これに対応する治療実績情報がデータベースから抽出され、少なくともがん治療方法およびｐＴＭＮ分類値が表示される。これによって、がん治療計画の立案を支援する性能が向上する。
【００１７】
この発明の上述の目的，その他の目的，特徴および利点は、図面を参照して行う以下の実施例の詳細な説明から一層明らかとなろう。
【図面の簡単な説明】
【００１８】
【図１】この実施例に適用される治療計画立案支援システムの構成を示すブロック図である。
【図２】治療計画立案支援システムを構成するサーバの一例を示すブロック図である。
【図３】治療計画立案支援システムを構成する表示端末の一例を示すブロック図である。
【図４】表示端末に設けられたがん治療部位変換テーブルの構成の一例を示す図解図である。
【図５】ＣＳＶ形式に従うがん登録ファイルの構造の一部を示す図解図である。
【図６】ＣＳＶ形式に従う病理診断結果ファイルの構造の一部を示す図解図である。
【図７】ＣＳＶ形式に従うＥファイルの構造の一部を示す図解図である。
【図８】ＣＳＶ形式に従うＦファイルの構造の一部を示す図解図である。
【図９】がん治療検索画面の一例を示す図解図である。
【図１０】がん治療検索画面の他の一例を示す図解図である。
【図１１】がん治療検索画面のその他の一例を示す図解図である。
【図１２】サーバに設けられたＣＰＵの動作の一部を示すフロー図である。
【図１３】表示端末に設けられたＣＰＵの動作の一部を示すフロー図である。
【図１４】表示端末に設けられたＣＰＵの動作の他の一部を示すフロー図である。
【図１５】表示端末に設けられたＣＰＵの動作のその他の一部を示すフロー図である。
【図１６】表示端末に設けられたＣＰＵの動作のさらにその他の一部を示すフロー図である。
【図１７】表示端末に設けられたＣＰＵの動作の他の一部を示すフロー図である。
【発明を実施するための形態】
【００１９】
図１を参照して、この実施例の治療実績可視化システム１０は、院内ＬＡＮ２０に接続されたサーバ１２，表示端末１４，入力端末１６および病理システム１８によって構成される。
【００２０】
図２を参照して、サーバ１２はバスＢＳ１を含む。バスＢＳ１には、通信Ｉ／Ｆ１２ｃｍ，ＣＰＵ１２ｐｒ，ＤＲＡＭ１２ｄｍおよびＨＤＤ１２ｈｄが接続される。図３を参照して、表示端末１４はバスＢＳ２を含む。バスＢＳ２には、通信Ｉ／Ｆ１４ｃｍ，ＣＰＵ１４ｐｒ，ＬＣＤ１４ｄｐ，キーボード／マウス１４ｋｍ，ＤＲＡＭ１４ｄｍおよびＨＤＤ１４ｈｄが接続される。
【００２１】
ＨＤＤ１４ｈｄには、がん治療部位変換テーブルＴＢＬ１が保存され、さらにデータベースＤＢ１〜ＤＢ４が保存される。ここで、がん治療部位変換テーブルＴＢＬ１は、図４に示すように構成される。また、データベースＤＢ１には図５に示すがん登録ファイルが登録され、データベースＤＢ２には図６に示す病理診断結果ファイルが登録され、データベースＤＢ３には図７に示すＥファイルが登録され、データベースＤＢ４には図８に示すＦファイルが登録される。
【００２２】
なお、説明の便宜上、図４にはがん治療部位変換テーブルＴＢＬ１の一部を示し、図５〜図８にはがん登録ファイル，病理診断結果ファイル，ＥファイルおよびＦファイルの一部を示す。また、がん登録ファイル，病理診断結果ファイル，ＥファイルおよびＦファイルは、治療実績情報に相当する。
【００２３】
図４を参照して、がん治療部位変換テーブルＴＢＬ１には、部位コードとがん治療部位との対応関係が示される。たとえば、部位コード“Ｃ１５９”には、がん治療部位として“食道がん”が割り当てられる。
【００２４】
図５を参照して、がん登録ファイルは、ＣＳＶ形式に従い、かつ複数のがんレコードによって構成される。また、各々のがんレコードは、患者ＩＤ番号，部位コード，退院日，当該腫瘍初診日，ｃＴＮＭ分類（“ｃ”はclinical）を項目として有する。ｃＴＭＮ分類は、Ｔ分類，Ｎ分類，Ｍ分類に区分される。
【００２５】
たとえば、患者ＩＤ番号“９１０００００００”には、部位コードとして“Ｃ１５９”が割り当てられ、退院日として“２０１６０７０４”が割り当てられ、当該腫瘍初診日として“２０１６０４０１”が割り当てられ、Ｔ分類として“Ｔ２”が割り当てられ、Ｎ分類として“Ｎ０”が割り当てられ、Ｍ分類として“Ｍ０”が割り当てられる。
【００２６】
図６を参照して、病理診断結果ファイルは、ＣＳＶ形式に従い、かつ複数の病理診断結果レコードによって構成される。また、各々の病理診断結果レコードは、患者ＩＤ番号，部位コード，病理診断日，ｐＴＭＮ分類（“ｐ”はpathological）を項目として有する。ｐＴＭＮ分類は、Ｔ分類，Ｎ分類，Ｍ分類に区分される。
【００２７】
たとえば、患者ＩＤ番号“９１０００００００”には、部位コードとして“Ｃ１５９”が割り当てられ、病理診断日として“２０１６０６２０”が割り当てられ、Ｔ分類として“Ｔ２”が割り当てられ、Ｎ分類として“Ｎ０”が割り当てられ、Ｍ分類として“Ｍ０”が割り当てられる。
【００２８】
なお、病理診断結果ファイルに登録された病理診断結果レコードの数は、がん登録ファイルに登録されたがんレコードの数と一致する。
【００２９】
図７を参照して、Ｅファイルは、ＣＳＶ形式に従い、かつ複数のＥレコードによって構成される。また、各々のＥレコードは、データ識別番号，順序番号，および実施日付を項目として有する。たとえば、データ識別番号“１２３−９１０００００００”には、順序番号として“１”が割り当てられ、実施日付として“２０１６０４１０”が割り当てられる。なお、データ識別番号の末尾９桁の数値は、患者ＩＤ番号と一致する。
【００３０】
図８を参照して、Ｆファイルは、ＣＳＶ形式に従い、かつ複数のＦレコードによって構成される。また、各々のＦレコードは、データ識別番号，順序番号および診療明細名称（がん治療方法）を項目として有する。たとえば、データ識別番号“１２３−９１０００００００”には、順序番号として“１”が割り当てられ、診療明細名称として“食道悪性腫瘍手術（消化管再建手術併施）（頸部、胸部、腹部の操作）”が割り当てられる。なお、Ｆファイルにおいては、２以上の診療明細名称が共通のデータ識別番号および順序番号に割り当てられる場合がある。
【００３１】
がん登録ファイル，ＥファイルおよびＦファイルは入力端末１６によって作成され、病理診断結果ファイルは病理システム１８によって作成される。作成されたこれらのファイルは、図２に示す通信Ｉ／Ｆ１２ｃｍを通してＤＲＡＭ１２ｄｍに取り込まれた後、ＨＤＤ１２ｈｄに設けられたテンポラリフォルダＴＦ１に一時的に保存される。
【００３２】
テンポラリフォルダＴＦ１に保存されたがん登録ファイル，病理診断結果ファイル，ＥファイルおよびＦファイルは、概ね月１回の頻度で、図３に示すデータベースＤＢ１〜ＤＢ４に登録される。このとき、サーバ１２のＣＰＵ１２ｐｒは、図１２に示すフロー図に従う登録処理を実行する。なお、このフロー図に対応する制御プログラムは、ＨＤＤ１２ｈｄに記憶される。
【００３３】
図１２を参照して、ステップＳ１では、変数Ｋを“１”に設定する。ステップＳ３では、ＨＤＤ１２ｈｄに設けられたテンポラリフォルダＴＦ１内のＫ番目のファイルを選択する。ステップＳ５では、Ｋ番目のファイルの属性（がん登録ファイル，病理診断結果ファイル，ＥファイルおよびＦファイルの区別）を検出する。
【００３４】
ステップＳ７では、図３に示すデータベースＤＢ１〜ＤＢ４の中からステップＳ５で検出された属性に対応するデータベースを特定し、特定したデータベースにＫ番目のファイルを登録する。この結果、がん登録ファイルはデータベースＤＢ１に登録され、病理診断結果ファイルはデータベースＤＢ２に登録され、ＥファイルはデータベースＤＢ３に登録され、ＦファイルはデータベースＤＢ４に登録される。
【００３５】
ステップＳ９では変数Ｋをインクリメントし、ステップＳ１１では変数Ｋが最大値Ｋｍａｘ（Ｋｍａｘ：テンポラリフォルダＴＦ１内のファイルの総数）を上回るか否かを判別する。判別結果がＮＯであればステップＳ３に戻る一方、判別結果がＹＥＳであればステップＳ１３でテンポラリフォルダＴＦ１を空にしてから登録処理を終了する。
【００３６】
表示端末１４に設けられたＣＰＵ１４ｐｒは、こうして構築されたデータベースＤＢ１〜ＤＢ４を参照してがん治療計画の立案を支援するべく、図１３〜図１７に示す治療実績可視化処理を実行する。なお、これらのフロー図に対応する制御プログラムは、ＨＤＤ１４ｈｄに記憶される。
【００３７】
図１３を参照して、ステップＳ２１では、がん治療検索画面をＤＲＡＭ１４ｄｍに展開する。展開されたがん治療検索画面はＬＣＤ１４ｄｐによって読み出され、図９に示す要領で表示される。図９によれば、がん治療検索画面の上段には“がん治療検索”の文字列が表示され、がん治療検索画面の中段にはがん治療部位およびｃＴＮＭ分類値の記入欄が表示され、がん治療検索画面の下段には「検索」ボタンが表示される。
【００３８】
ステップＳ２３では、キーボード／マウス１４ｋｍによってがん治療部位入力操作（＝がん治療部位の記入欄に所望のがん治療部位を入力する操作）が行われたか否かを判別する。判別結果がＮＯであれば、そのままステップＳ２７に進む。一方、判別結果がＹＥＳであれば、ステップＳ２５に進み、入力されたがん治療部位を該当記入欄に表示してからステップＳ２７に進む。
【００３９】
ステップＳ２７では、キーボード／マウス１４ｋｍによってｃＴＭＮ分類入力操作（＝ｃＴＭＮ分類値の記入欄に所望の分類値を入力する操作）が行われたか否かを判別する。判別結果がＮＯであれば、そのままステップＳ３１に進む。一方、判別結果がＹＥＳであれば、ステップＳ２９に進み、入力された分類値を該当入力欄に表示してからステップＳ３１に進む。
【００４０】
ステップＳ３１ではキーボード／マウス１４ｋｍによって「検索」ボタンがクリックされたか否かを判別し、ステップＳ３３では全項目（がん治療部位およびｃＴＭＮ分類値であり、がん患者情報に相当）が入力済みであるか否かを判別する。ステップＳ３１の判別結果およびステップＳ３３の判別結果のいずれか一方がＮＯであれば、ステップＳ２３に戻る。これに対して、ステップＳ３１の判別結果およびステップＳ３３の判別結果のいずれもがＹＥＳであれば、ステップＳ３５に進む。
【００４１】
ステップＳ３５では、がん治療部位変換テーブルＴＢＬ１を参照して、入力されたがん治療部位を部位コードに変換する。ステップＳ３７では、変換された部位コードが各々に記載された１または２以上のがんレコードを、がん登録ファイル用のデータベースＤＢ１から検出する。ステップＳ３９では、変換された部位コードが各々に記載された１または２以上の病理診断結果レコードを、病理診断結果ファイル用のデータベースＤＢ２から検出する。
【００４２】
ステップＳ４１ではまた、ステップＳ３７で検出された１または２以上のがんレコードとステップＳ３９で検出された１または２以上の病理診断結果レコードとを共通の患者ＩＤ番号毎に統合する。したがって、３つのがんレコードがデータベースＤＢ１から検出され、３つの病理診断結果レコードがデータベースＤＢ２から検出されたときは、３つの統合レコードが作成される。
【００４３】
ステップＳ４３では変数Ｋを“１”に設定し、ステップＳ４５ではＫ番目の統合レコードの一部の項目（具体的には、患者ＩＤ番号，当該腫瘍初診日，退院日，ｃＴＭＮ分類値，病理診断日およびｐＴＭＮ分類値であり、がん治療実績の概要情報に相当）をがん治療検索画面に追加表示する。
【００４４】
ステップＳ４７では変数Ｋをインクリメントし、ステップＳ４９では変数Ｋが最大値Ｋｍａｘ（Ｋｍａｘ：統合レコードの総数）を上回るか否かを判別する。判別結果がＮＯであればステップＳ４５に戻る一方、判別結果がＹＥＳであればステップＳ５１に進む。したがって、ステップＳ４９でＹＥＳと判断された時点では、がん治療検索画面は、図１０に示す体裁をなす。
【００４５】
ステップＳ５１では、がん治療検索画面上の所望の患者ＩＤ番号がキーボード／マウス１４ｋｍによってクリックされたか否かを繰り返し判別する。判別結果がＮＯからＹＥＳに更新されると、詳細表示操作が行われたとみなしてステップＳ５３に進み、クリックされた患者ＩＤ番号をデータ識別番号に変換する。具体的には、患者ＩＤ番号の冒頭に“１２３−”を付する。
【００４６】
ステップＳ５５では、クリックされた患者ＩＤ番号に対応する当該腫瘍初診日および退院日をがん登録ファイル用のデータベースＤＢ１から検出する。ステップＳ５７では、検出した当該腫瘍初診日から退院日までの期間を指定する。
【００４７】
ステップＳ５９では、ステップＳ５３で変換されたデータ識別番号とステップＳ５７で指定された期間内の実施日付とが各々に記載された１または２以上のＥレコードをＥファイル用のデータベースＤＢ３から探索する。
【００４８】
ステップＳ６１では、ステップＳ５９の処理によって１または２以上のＥレコードが探知されたか否かを判別する。判別結果がＮＯであればステップＳ８７に進む一方、判別結果がＹＥＳであればステップＳ６３に進む。ステップＳ６３では変数Ｋを“１”に設定し、ステップＳ６５では探知された１または２以上のＥレコードのうちＫ番目のＥレコードからデータ識別番号，順序番号および実施日付を検出する。
【００４９】
ステップＳ６７では、ステップＳ６５で検出されたデータ識別番号および順序番号が各々に記載された１または２以上のＦレコードをＦファイル用のデータベースＤＢ４から探索する。ステップＳ６９では、ステップＳ６７の処理によって１または２以上のＦレコードが探知されたか否かを判別する。判別結果がＮＯであればステップＳ８３に進む一方、判別結果がＹＥＳであればステップＳ７１に進む。
【００５０】
ステップＳ７１では、変数Ｌを“１”に設定する。ステップＳ７３では、クリックされた患者ＩＤ番号とステップＳ６５の処理によって検出された実施日付とを、がん治療検索画面に表示する。ステップＳ７５では、探知された１または２以上のＦレコードのうちＬ番目のＦレコードから診療明細名称を検出する。ステップＳ７７では、検出された診療明細名称をがん治療検索画面に表示する。こうして表示される患者ＩＤ番号，実施日付および診療明細名称は、がん治療実績の詳細情報に相当する。
【００５１】
ステップＳ７９では変数Ｌをインクリメントし、ステップＳ８１では変数Ｌが最大値Ｌｍａｘ（Ｌｍａｘ：探知されたＦレコードの総数）を上回るか否かを判別する。判別結果がＮＯであればステップＳ７３に戻り、判別結果がＹＥＳであればステップＳ８３に進む。
【００５２】
ステップＳ８３では変数Ｋをインクリメントし、ステップＳ８５では変数Ｋが最大値Ｋｍａｘ（Ｋｍａｘ：ステップＳ５９の処理によって探知されたＥレコードの総数）を上回るか否かを判別する。判別結果がＮＯであればステップＳ６５に戻る一方、判別結果がＹＥＳであればステップＳ８７に進む。したがって、ステップＳ８５の判別結果がＹＥＳと判断された時点では、がん治療検索画面は、図１１に示す体裁をなす。
【００５３】
ステップＳ８７では所望の患者ＩＤ番号がクリックされたか否かを繰り返し判別する。判別結果がＮＯからＹＥＳに更新されると、ステップＳ８９に進み、詳細情報（ステップＳ７３およびＳ７７で表示された患者ＩＤ番号，実施日付および診療明細名称）を非表示とする。ステップＳ８９の処理が完了すると、ステップＳ５３に戻る。
【００５４】
以上の説明から分かるように、がん治療方法，ｐＴＭＮ分類値およびｃＴＭＮ分類値を含む治療実績情報は、表示端末１４のＨＤＤ１４ｈｄに設けられたデータベースＤＢ１〜ＤＢ４に登録される。これを踏まえて、表示装置１４のＣＰＵ１４ｐｒは、ｃＴＭＮ分類値を含むがん患者情報の入力をＬＣＤ１４ｄｐに表示されたがん治療検索画面上で受け付け(S21~S29)、入力されたがん患者情報に対応する治療実績情報をデータベースＤＢ１〜ＤＢ４から抽出する(S35~S43, S47~S71, S75, S79~S85)。ＣＰＵ１４ｐｒはさらに、抽出された治療実績情報のうち少なくともがん治療方法およびｐＴＭＮ分類値をＬＣＤ１４ｄｐに表示する(S45, S73, S77)。
【００５５】
これによって、今回のがん治療計画を立案するときに、過去の症例や治療方法を確認することができ、がん治療計画の立案を支援する性能が向上する。
【００５６】
具体的には、がん患者情報に含まれるｃＴＭＮ分類値と治療実績情報に含まれるｐＴＭＮ分類値との比較を通して、より好ましいがん治療方法の選定が可能となる。また、詳細表示操作を受け付けたときにがん治療方法を表示することで、視認性ないし操作性が向上する。
【符号の説明】
【００５７】
１０  …治療実績可視化システム
１２  …サーバ
１４  …表示端末
１２ｐｒ，１４ｐｒ  …ＣＰＵ
１２ｈｄ，１４ｈｄ  …ＨＤＤ
１４ｄｐ  …ＬＣＤ
【図１】
2018173698.tif 000003
【図２】
2018173698.tif 000004
【図３】
2018173698.tif 000005
【図４】
2018173698.tif 000006
【図５】
2018173698.tif 000007
【図６】
2018173698.tif 000008
【図７】
2018173698.tif 000009
【図８】
2018173698.tif 000010
【図９】
2018173698.tif 000011
【図１０】
2018173698.tif 000012
【図１１】
2018173698.tif 000013
【図１２】
2018173698.tif 000014
【図１３】
2018173698.tif 000015
【図１４】
2018173698.tif 000016
【図１５】
2018173698.tif 000017
【図１６】
2018173698.tif 000018
【図１７】
2018173698.tif 000019